(57)【特許請求の範囲】
【請求項１】
ライン状に並べて飛び飛びに配置された多数の発光ダイオードと、前記発光ダイオードが搭載された細長い回路基板と、前記回路基板をすっぽり覆う筒状の透光カバーとを有しており、前記回路基板は補助ブラケットを介して前記透光カバーに取り付けられており、前記発光ダイオードの光が前記透光カバーから照射される構成であって、
前記透光カバーと補助ブラケットとはいずれも押し出し加工品であって、両者はその長手方向に延びる係合手段によって互いに嵌まり合っており、かつ、前記透光カバーは、その内部に微細な反射球を多数混入することにより、光の拡散機能を保持している、
灯具。
【請求項２】
ライン状に並べて飛び飛びに配置された多数の発光ダイオードと、前記発光ダイオードが搭載された細長い回路基板と、前記回路基板をすっぽり覆う筒状の透光カバーとを有しており、前記回路基板は金属製の支持板を介して前記透光カバーに取り付けられており、前記発光ダイオードの光が前記透光カバーから照射される構成であって、
前記支持板は長手方向からの押し込みによって前記透光カバーに取付けられており、かつ、前記透光カバーは、その内部に微細な反射球を多数混入することにより、光の拡散機能を保持している、
灯具。
【発明の詳細な説明】
【技術分野】
【０００１】
本願発明は、灯具に関するものである。
【背景技術】
【０００２】
屋外の路面・地面や屋内の床面には、境界線表示や誘導用、或いは注意喚起のために様々のラインが表示されている。例えば、視力障害者のための点字ブロック、車道における車線の区画線、車道の中央分離帯、歩道と車道とを区画する分離線、交差点における車両停止線、横断歩道を示すライン、踏切の手前に表示した車両用停止線、駅におけるホームの危険域を示す白線や黄線、建物内の床面に設けた避難誘導用のライン、などである。
【０００３】
そして、人の視認性を向上させたり、注意喚起機能をアップさせたりするため、ラインに発光性を付与することが提案され、或いは一部で実行されている。その例として、たとえば特許文献１〜３には、点字ブロックにＬＥＤ方式の発光体を埋め込むことが開示されており、特許文献４には、道路の例えば中央分離帯に設置するブロックに発光体を設けることが開示されている。更に、特許文献５には、透光性チューブの内部に多数の光源を飛び飛びの状態で配置した埋め込み式発光装置が開示されている。なお、多数のＬＥＤランプを縦横に整列して配置することで文字や図柄を表示できるようになっている電光表示器が多用されていることは周知のとおりである。
他方、屋外における道路や通路の端に防護柵のような状態で横長の街路灯状の灯具を配置することが行われている。この灯具には光源として一般に蛍光灯が使用されており、蛍光灯を筒状のカバーで覆っている。
【先行技術文献】
【特許文献】
【０００４】
【特許文献１】特開２００４−２５７１８２号公報
【特許文献２】特開２００４−１３７８１４号公報
【特許文献３】意匠登録第１０６９１２６号公報
【特許文献４】実開平６−４６０１５号公報
【特許文献５】特開２００２−３２７４１０号公報
【発明の概要】
【発明が解決しようとする課題】
【０００５】
しかし、蛍光灯を使用した灯具は消費電力が多いのみならず寿命が短いという問題がある。
【０００６】
【０００７】
本願発明は、このような現状を改善すべく成されたものである。
【課題を解決するための手段】
【０００８】
【０００９】
【００１０】
請求項１の発明に係る灯具は、ライン状に並べて飛び飛びに配置された多数の発光ダイオードと、前記発光ダイオードが搭載された細長い回路基板と、前記回路基板をすっぽり覆う筒状の透光カバーとを有しており、前記回路基板は補助ブラケットを介して前記透光カバーに取り付けられており、前記発光ダイオードの光が前記透光カバーから照射される構成であって、
前記透光カバーと補助ブラケットとはいずれも押し出し加工品であって、両者はその長手方向に延びる係合手段によって互いに嵌まり合っており、かつ、前記透光カバーは、その内部に微細な反射球を多数混入することにより、光の拡散機能を保持している。
【００１１】
請求項２の発明に係る灯具は、ライン状に並べて飛び飛びに配置された多数の発光ダイオードと、前記発光ダイオードが搭載された細長い回路基板と、前記回路基板をすっぽり覆う筒状の透光カバーとを有しており、前記回路基板は金属製の支持板を介して前記透光カバーに取り付けられており、前記発光ダイオードの光が前記透光カバーから照射される構成であって、
前記支持板は長手方向からの押し込みによって前記透光カバーに取付けられており、かつ、前記透光カバーは、その内部に微細な反射球を多数混入することにより、光の拡散機能を保持している。
【発明の効果】
【００１２】
【００１３】
【００１４】
【００１５】
本願発明によると、消費電力が少なくて寿命が長い発光ダイオード（ＬＥＤ）を使用しているためランニングコストを著しく抑制できる。また、発光ダイオードの光が透過する透光カバーに光を拡散・散乱させる機能を持たせることで、ラインとしての一体性をより一層高めることができる。
更に、請求項１では補助ブラケットは透光カバーは別体であり、オープンの状態の補助ブラケットに回路基板を予め装着しておいてから、補助ブラケットを透光カバーに差し込み装着すれば良いため、組み立てに際して回路基板の損傷を防止できる（回路基板を強引に押すと破損する虞があるが、補助ブラケットを強く押しても回路基板が損傷することはない。）。請求項２のように金属製の支持板を設けた場合も、回路基板を損傷することなく装着できる。
【００１６】
【図面の簡単な説明】
【００１７】
【図１】参考例たる表示装置の概略を示す図である。
【図２】参考例の一部破断分離斜視図である。
【図３】（Ａ）は図１（Ｂ）の IIIA-IIIA視断面図、（Ｂ）は分離断面図である。
【図４】図１（Ｂ）のIV−IV視断面図である。
【図５】（Ａ）は中間エンドキャップの斜視図、（Ｂ）は中間エンドキャップの取り付け手順を示す断面図である。
【図６】発光ダイオードの平断面図である。
【図７】実施形態の断面図である。
【発明を実施するための形態】
【００１８】
本願発明の実施形態は図７に表示されているが、実施形態の説明に先立って、図１〜６に示す参考例を説明する。
【００１９】
(1).参考例の概要
参考例は埋め込み式の表示装置に関するものであり、図１で概略を表示している。図１のうち（Ａ）は埋設した状態での一部破断斜視図、（Ｂ）は（Ａ）の部分的な平面図、（Ｃ）は分離側面図である。なお、以下の説明では便宜的に「左右」「前後」の文言を使用するが、図１（Ａ）に矢印Ａで示すように、表示装置の長手方向を向いた状態を正面視として、これを基準に左右や前後の文言を使用している（この点は実施形態の説明も同様である。）。
【００２０】
表示装置は、道路や床等を構成する基礎Ｇに埋設される下ベース１と、下ベース１に上方から取り付けた多数の表示ユニット２とを主要部材として構成されており、各表示ユニット２はその上面を除いた全部又は大部分が基礎Ｇに埋設されている。表示ユニット２は長さが例えば３０ｃｍ程度で細長い形状であり、上面には細長い透光部３が形成されており、内部には点状光源の一例としての発光ダイオード（正確には発光ダイオードランプ）４が飛び飛びの状態で多数配置されている。また、表示ユニット２の両端はエンドキャップ５，５′で構成されている。本参考例では、表示装置の全高は８０ｍｍ程度に設定している。
【００２１】
各表示ユニット２の両端の下面からは発光ダイオード４の電源供給及び制御のためのケーブル６が露出しており、ケーブル６にはコネクタ７を接続している。従って、隣り合った表示ユニット２のケーブル６はコネクタ７によって接続されている。なお、詳細は省略するが、各ユニット２に主電源線とこれから分岐した枝電源線とを配線して、発光ダイオード４には枝電源線から電力を供給するのが好ましい（一つの表示ユニット２で断線等のトラブルがあっても、他の表示ユニット２には影響しないため。）。
【００２２】
また、電源線及び制御線を各表示ユニット２とは分離した状態に設けて、この電源線及び制御線と各表示ユニット２の内部線とをコネクタで接続する配線態様を採用することも可能である。下ベース１の長さは任意に設定することができるが、例えば１０ｍ程度の長さにしてこれを１ブロックと成し、多数のブロックを直列に配置して長大な表示装置を構成することが可能である。このように表示装置が全体として長大になる場合は、何メートルかおき（或いは１ブロックごと）に中継器を設けるのが好ましい。また、表示装置は下ベース１や表示ユニット２とは分離した制御盤（図示せず）を備えている。
【００２３】
基礎Ｇの構造は施工現場の種類によって異なる。例えば駅のホームや構内の場合は全体がコンクリートであることが多いであろうし、道路（車道）の場合は、砂利や土又はコンクリートからなる基盤にアスファルトを敷いていることが多いであろう。基盤上にアスファルトを敷いている場合は、下ベースは砂利等の基盤上に載せて、表示ユニット２はアスファルトの内部に埋め込まれた態様になることが多いと言える（従って、この場合は、表示装置の全高はアスファルト層の厚さと同じ程度の寸法に設定しておくのが好ましい。）。
【００２４】
歩道は、砂利又は土からなる基盤上にコンクリートを打設したり敷石（或いはタイル）を敷設した構造になっていることが殆どであるので、この場合は、表示ユニット２は基盤上に載せた状態でなることが多いと言える。歩道や広場の路面を木製タイルで構成することもあるが、この場合は、表示ユニット２は木製タイルの間に挟み込まれた状態になる。
【００２５】
次に、図２以下の図面を参照して表示装置の具体的な構造を説明する。図２は一部破断分離斜視図、図３のうち（Ａ）は図１（Ｂ）の IIIA-IIIA視断面図、（Ｂ）は分離断面図、図４は図１（Ｂ）のIV−IV視断面図、図５のうち（Ａ）はエンドキャップ５の斜視図、（Ｂ）はエンドキャップ５の取り付け手順を示す断面図、図６は発光ダイオード４の例を示す平断面図である。
【００２６】
(2).構成要素・外部構造
下ベース１はアルミ又はアルミ合金の押し出し加工品であり、水平状の下板９とこれから上向きに立ち上がった左右２枚の側板１０とを備えており、側板１０はその下部において補強板１１で一体に連結されている。また、側板１０の上端には、内側に入り込んだ状態で上向きに延びる下係合爪１２が一体に形成されており、このため、側板１０の上端面１０ａは下係合爪１２に対して段違い状になっている。下係合爪１２には外向き突状の鉤部１２ａが形成されており、鉤部１２ａの上下の面は傾斜している。
【００２７】
左右側板１０の内面には、下係合爪１２との若干の間隔を空けた状態で内向きリップ１４が形成されており、このため、下係合爪１２と内向きリップ１３との間に内向き溝１４が形成されている。なお、相対向した内向きリップ１３を一体に繋げることも可能であり、この場合は補強板１１は無くしても良い。
【００２８】
表示ユニット２は、上向きに開口した樋状の外カバー１５と、外カバー１５の開口部を塞ぐように配置された下向き開口樋状の第１内カバー１６、第１内カバー１６と外カバー１５とで囲われた空間内に配置された下向き開口箱状の第２内カバー１７と、第２内カバー１７の内部に水平状の姿勢で配置した回路基板１８とを備えており、回路基板１８に発光ダイオード４の群が搭載（実装）されている。そして、本参考例では、外カバー１５と第１及び第２の内カバー１６，１７とでケースが構成されている。
【００２９】
外カバー１５はアルミ又はアルミ合金を素材とした押し出し加工品であり（従って不透明である）、基本的要素として、下ベース１の側板１０と同一面を成す左右２枚の側板１９と、両側板１９をその下部において繋ぐ底板２０とを備えており、底板２０が下ベース１おける下係合爪１２の上端に載る（重なる）ようになっている。また、両側板１９の下端には、内向きの鉤部２１ａを有する上係合爪２１が一体に形成されている。上係合爪２１の鉤部２１ａはその上下両面が傾斜した横向き山形になっており、このため、外カバー１５は、下向きの押し込みによって下ベース１にワンタッチ的に取り付けられる。
【００３０】
本参考例では、下ベース１の下係合爪１２と外カバー１４の上係合爪２１とが係合手段を構成している。また、本参考例では、外カバー１５の押し込みに際しては、主として下ベース１の側板１０が撓み変形することで上下の係合爪１５，２１が嵌まり合う（噛み合う）ことになる。
【００３１】
外カバー１５の側板１９の下部には、底板２０と若干の間隔を空けた状態で下リブ２２を内向きに突設し、底板２０と下リブ２２との間に略円弧状の丸溝２３が形成されている一方、左右側板１９の上端にはそれぞれ内向きの上リブ２４が形成されており、更に、側板１９の上下中途高さ位置には中段リブ２５が形成されている。
【００３２】
(3).内部構造
第１内カバー１６は透明な樹脂（例えばポリカーボネート樹脂）を素材として射出成形法によって製造されており、外カバー１５の上リブ２４と中段リブ２５との間に嵌まり込む左右２枚の側板１６ａと、外カバー１５の上面と同一面を成す天板とを備えており、側板１６ａと天板との連接部は外カバー１５の上リブ２４が嵌まる段部１６ｂになっている。そして、第１内カバー１６のうち外カバー１５の上リブ２４で挟まれた部分（開口溝の部分）が帯状の透光部３になっている。
【００３３】
第２内カバー１７も透明な樹脂（例えばアクリル樹脂やポリカーボネート樹脂）を素材として射出成形法によって製造されており、左右の側板１７ａとその上端に連接した天板、及び、左右の側板１７ａと天板とに一体に繋がった前後の端板１７ｂとを有して下向きに開口した箱状になっている。第２内カバー１７の側板１７ａの略上半部は第１内カバー１６の内部に密着して下半部は外カバー１５の中段リブ２５と下段リブ２２との間に嵌まり込んでおり、このため側板１７ａは違い状になっていて、第２内カバー１７は全体として正面視で凸字形になっている。
【００３４】
第２内カバー１７の内部には、天板から下向きに延びる左右２枚の足片１７ｄが一体に形成されている。足片１７ｄは外側に寄った状態に形成されており、側板１７ａの内側段差面１７ｃと同じ高さまで延びている。そして、回路基板１８を側板１７ａの内側段差面１７ｃと足片１７ｂとで位置決めしている。
【００３５】
第２内カバー１７の内部には、回路基板１８と発光ダイオード４を包み込む状態で透明シール剤２６が充填されている。シール剤の充填方法を述べると、先ず、上向きに開口させた姿勢の第２内カバー１７に内側段差面１７ｃよりもやや浅い深さに流動性シール剤を流し込み、次いで、発光ダイオード４を下向きにした姿勢で回路基板１８を第２内カバー１７の内部に嵌め込み、それから、回路基板１８を覆うようにして流動性シール剤の２回目の流し込みを行う。
【００３６】
第２内カバー１７は端板１７ｂを有する箱状に形成されているため、流動性シール剤の流し込みを支障なく行える。なお、２回目のシール剤の流し込みは１回目に流し込んだシール剤が固まってから行っても良いし、或いは、２回の流し込みを相次いで行っても良い。また、表示装置には荷重がかかることがあるので、変形による回路基板１８や発光ダイオード４の破損を防止するためには、シール剤２６は硬化した後も多少の弾性を有しているのが好ましい。シール剤２６として紫外線硬化性をもつものを使用することも可能であり、この場合は硬化時間を短くできる利点がある。
【００３７】
図４に示すように、回路基板１８の両端寄り部位からケーブル６が露出している。外カバー１５における底板２０の前後両端部には、ケーブル６を外部に引き出すための切欠き２７が形成されている。
【００３８】
表示装置は多数の表示ユニット２で構成されているので、隣り合った表示ユニット２の端面は互いに重なり合っており、表示装置の両端を構成する２つの表示ユニット２の片面は基礎Ｇの内部等に露出している。そして、エンドキャップは、互いに重なり合うものと、基礎Ｇの内部等に露出するものとの２種類が用意されている。便宜的に、前者を中間エンドキャップと呼んで符号５で表示、後者は最端エンドキャップと呼んで符号５′で表示している。
【００３９】
図４や図５に示すように、中間エンドキャップ５は、外カバー１５の端面のうち上係合爪２１を除いた部分に重なるように正面視四角形の部分を有しており、更に、外カバー１５の丸溝２４に入り込む左右一対のボス２８と、下ベース１の内部に入り込む足部５ａを有している。足部５ａの下端には、下ベース１の内向き溝１４に嵌まり込む外向き張り出し部５ｂが一体に形成されている。中間エンドキャップ５は透明な樹脂製である。
【００４０】
下ベース１への中間エンドキャップ５の取り付けは次の手順で行われる。すなわち、まず、図５（Ｂ）に示すように平面視で下ベース１と平行に延びる姿勢にして下ベース１に嵌め入れ、次いで、中間エンドキャップ５を水平回転させることにより、中間エンドキャップ５の横向き張り出し部５ｂを下ベース１の内向き溝１４に嵌め込むのである。
【００４１】
最端エンドキャップ５′は外カバー１５の端面の全体に重なるようになっており、かつ、横向き張り出し部５ｂを有する足部５ａも備えている。また、最端エンドキャップ５′はビス２９で外カバー１５に固定される。ビス２９は外カバー１５の丸溝２３にねじ込まれる。なお、ビス２９はタッピンねじを使用するのが好ましい。
【００４２】
下ベース１の両端は露出しているので、最端エンドキャップ５′の横方向から下ベース１に嵌め込まれる。最端エンドキャップ５′には、外カバー１５に部分的に入り込む突部５ｃを設けている。勿論、突部５ｃはなくても良いし、逆に、中間エンドキャップ５に突部５ｃを設けることも可能である（この場合は、内カバー１６，１７の長さをやや短くするなどして、突部５ｃの入り込みを許容する必要がある。）。
【００４３】
(4).組み立て・施工
例えば図３から理解できるように、表示ユニット２を組み立てるにおいては、第２内カバー１７に回路基板１８を装着すると共にシール剤２６を充填することによって封止し、次いで、第１内カバー１６と第２内カバー１７とを外カバー１５に端から差し込む（嵌め込む）ことで、内カバー１６，１７を外カバー１５にセットする。外カバー１５への内カバー１６，１７の嵌め込みは、何れか一方を先に行っても良いし、両内カバー１６，１７を予め嵌め合わせておいて行っても良い。
【００４４】
外カバー１５の加工誤差によっては、外カバー１５への第１内カバー１６の嵌め込みがきつ過ぎる虞がある。そこで本参考例では、図３に示すように、第１内カバー１６の外側面を上に行くほど間隔（幅）が狭くなるように僅かの角度のテーパ状に形成している。内カバー１６，１７を外カバー１５に嵌め込むにおいて、隙間にシール剤を塗布しておくことも可能である。
【００４５】
施工に際しては、まず、基礎Ｇに下ベース１を敷設し、次いで、表示ユニット２の群を装着していく。表示ユニット２の群の取り付け方法としては、例えば、隣り合った表示ユニット２のケーブル６を接続した状態で、１番目の表示ユニット２の外カバー１５を下ベース１に上方から押し込みによって装着し、次いで、中間エンドキャップ５を下ベース１に嵌め込んでからスライドさせて１番目のエンドキャップ５における外カバー１５の丸溝２３に嵌め込み、次いで、２番目の表示ユニット２の外カバー１５の嵌め込みと中間エンドキャップ５の装着を行う、と言うようにして表示ユニット２を端から順番に取り付ける方法を採用できる。
【００４６】
表示ユニット２の外カバー１５は下ベース１に装着した状態でスライドさせ得るので、多数の表示ユニット２を互いに間隔を空けた状態で下ベース１に装着し、次いで、下ベース１に装着した表示ユニット２をずらし移動させることで隣り合った表示ユニット２を互いに密着させることも可能である。隣り合った表示ユニット２の端面間にシール剤を塗布しても良い。
【００４７】
本参考例のように中間エンドキャップ５の足片５ａに横向き張り出し部５ｂを形成すると、横向き張り出し部５ｂが抜け止めの役割を発揮され、しかも、横向き張り出し部５ｂによって下ベース１の左右側板１０が内側に撓み変形することが防止されて上係合爪２１が下係合爪１２から離脱することが抑制されるため、何らかの外力によって表示ユニット２が下ベース１から外れたり浮き上がったりする不具合を解消できる利点がある。
【００４８】
長尺の下ベース１を使用せずに、１つの表示ユニット２で一つの表示装置を構成することも可能である。この場合、エンドキャップ５は外カバー１５にビスで締結される（この場合のエンドキャップ５は、外カバー１５の端面の全体を覆う縦長長方形でよい。）。表示ユニット２の長さを点字ブロックの一辺の長さ（例えば３０ｃｍ）と同じか略同じに設定しておき、表示ユニット２を点字ブロックに埋め込むことも可能である（透光部を点字ブロックの谷の部分に露出させる。）。一つの表示ユニット２に、これと略同じ長さの下ベース１を取り付けておくことも可能である。
【００４９】
(5).制御の具体例
本参考例では、図６に模式的に示すように、発光ダイオード４は赤発光Ｒと青発光Ｂと緑発光Ｇの三種類（三原色）のチップを有しており、チップＲ，Ｂ，Ｇをガラス層で封止している。そして、赤Ｒと青Ｂと緑Ｇの色の強弱や点灯を制御して各色を重ね合わせることで任意の色（フルカラー）の光を発生させることができる。また、光の強弱や点滅も任意に制御できる。従って、例えば、昼間は赤やオレンジのような有色光を発光させて、夜は白色光を発光させる、いうように環境に応じて発光色を変えることも可能である。なお、Ｒ，Ｂ，Ｇに加えて白色ダイオードチップを別に配置することも可能である。
【００５０】
また、例えば駅のホームに点字ブロックの列と平行に本参考例の表示装置を設置し、通常状態は白、電車到着が近づくと黄色、電車到着時には赤、というように状況に応じて色を変えることができる。或いは、発光ダイオード４を点滅させて注意を喚起することも可能である。更に、例えば１本の下ベース１の部分を１単位として、各単位ごとに発光ダイオード４の発光色を異ならせるといったことも可能である。
【００５１】
また、緊急時の避難誘導表示として使用する場合、避難順路に向かって手前から前方の順に各発光ダイオード４を点灯・消灯させることにより、表示装置に方向指示機能を持たせることも可能である。発光ダイオード４は消費電力が少ないので、バッテリーを使用して相当の時間点灯させることができ、このため、本参考例は避難誘導装置としても優れていると言える。
【００５２】
第１内カバー１６、第２内カバー１７、シール剤２６の三者のうちの何れか１つ又は２つ、又は全部を蓄光部と成すことも可能である。蓄光部の形成手段としては、例えば、内カバー１６，１７の場合は、成形する前の原料に蓄光剤を混練して、蓄光剤入りのものを成形する方法が挙げられる。この場合は、内カバー１６，１７の蓄光部になる。他の方法としては、成形した後に蓄光塗料を塗布することが挙げられる。この場合は、表面（外面又は内面若しくは両面）が蓄光部になる。シール剤２６を蓄光部となす方法としては、シール剤２６の原料に蓄光剤を練り込んだら良い。三者の他に蓄光機能を有する部材を設けることも可能である。
【００５３】
(6).実施形態
次に、図７に示す実施形態を説明する。本実施形態は、例えば歩道や通路の端に設置するタイプに適用している。この実施形態では、灯具は、全体として円筒状に形成された長尺の透光カバー３１と、これが取り付いた略樋状のベース３２とを主要部材として構成されており、これら透光カバー３１とベース３２とでケースが構成されている。透光カバー３１及びベース３２は長尺で、例えば５〜１０ｍの長さに設定できる（透光カバー３１は、例えば１ｍ程度の長さとして継手で接続することも可能である。）。
【００５４】
透光カバー３１は透明な樹脂を素材とした押し出し加工によって製造されており、左右一対の足部３１ａが全長にわたって延びるように形成されている。また、透光カバー３１の内部のうち下部には、左右側板３３ａを有する略上向き開口コ字状の補助ブラケット３３が密着した状態に配置されている。補助ブラケット３３も透明な樹脂を素材とした押し出し加工品であり、左右の横向き突起３４と左右の下向き突起３５とを設けている一方、透光カバー３１の内部には、補助ブラケット３３の横向き突起３４を上向き移動不能に保持する内向き突起３６と、補助ブラケット３３の下向き突起３５が左右ずれ不能に嵌まる上向き溝３７とが形成されており、このため、透光カバー３１の長手方向にしかずれない状態に保持されている。
【００５５】
また、補助ブラケット３３の上端は透光カバー３１の中心よりも低い高さであり、左右内側面の上部には、回路基板１８を差し込みできる上下２段の保持溝３６′が形成されている。保持溝３６′は回路基板装填部の一例である。なお、補助ブラケット３３の外向き突起３４と下向き突起３５、透光カバー３１の内向き突起３６と上向き溝３７は、補助ブラケット３３を取り付ける嵌合手段の一例である。補助ブラケット３３の底部は平坦状になっている。
【００５６】
ベース３２はアルミ等の軽合金の押し出し加工品であり、左右の側板３２ａと底部３２ｂとを有しており、側板３２ａの内側に透光カバー３１の足部３１ａが嵌まるようになっている。そして、透光カバー３１の足部３１ａに上下の係合爪３８を形成している一方、ベース３２における側板３２ａの内面には係合爪３８が嵌合する係合溝３９を形成しており、係合爪３８と係合溝３９とで請求項に記載した係合手段を構成している。なお、本実施形態では、透光カバー３１の足部３１ａとベース３２の側板３２ａとを全体として互いに噛み合う係合爪（係合手段）と表現することも可能である。
【００５７】
ベース３２の側板３２ａには、エンドキャップ（図示せず）を取り付けるための丸溝２３を形成している。図示は省略しているが、エンドキャップは、透光カバー３１とベース３２との全体に重なるようになっており、下面はベース３２の下面と揃うようにフラットになっている。
【００５８】
ベース３２の下部には、回路基板１８を差し込むことのできる左右一対の蟻溝４０が形成されている。蟻溝４０も回路基板装填部の一例である。蟻溝４０の下方は上向きに開口した溝になっており、この溝にケーブル類を這わせることができる。ベース３２の下面には、当該ベース３２を支持部材（図示せず）に取り付けるための下向き開口溝４１が空いている。
【００５９】
本実施形態ではベース３２は基本的には樋状であり、このため、ベース３２の左右側板３２ａは外側に倒れるように変形し易くなっている。このため、透光カバー３１が長尺であっても容易に取り付けることができる。
【００６０】
本実施形態では回路基板１８の高さを３段階に切り替えることができる。参考例としての最下段の蟻溝４０に回路基板１８を装着すると、発光ダイオード４がベース３２の内部に隠れて光は拡散した状態で透光カバー３１に向けて照射されるため、発光ダイオード４の間隔を大きくしても光のラインの一体性（連続性）を確保できる。従って、さほどの照度を必要としない場合に好適である。
【００６１】
他方、本願発明の実施形態として回路基板１８を透光カバー３１（補助ブラケット３３）に設けると、発光ダイオード４が外側から容易に視認されるため、光のラインの連続性を高めるには発光ダイオード４の配置間隔を狭める必要があり、すると照度は必然的に高くなる。従って、高い照度を要する場所に設置するのに好適である。
【００６２】
なお、補助ブラケット３３に相当する部分を透光カバー３１に一体成形することも可能であるが、本願発明のように補助ブラケット３３を透光カバー３１とは別体に構成すると、補助ブラケット３３は寸法が小さくて高い加工精度を確保できるため、回路基板１８を装着するための保持溝３７を正確に加工できる利点がある。
【００６３】
また、回路基板１８は長さが数十ｃｍであり、従って、保持溝３７を透光カバー３１に一体成形していると、回路基板１８は透光カバー３１の保持溝に端から順に押し込むことになるが、透光カバー３１は場合によっては数ｍ〜１０ｍの長さの長尺であるため、回路基板１８をスムースに差し込めなくなる虞があるが、本願発明のように補助ブラケット３３を透光カバー３１とは別体に構成すると、オープンの状態の補助ブラケット３３に回路基板１８の群を予め装着しておいてから、補助ブラケット３３を透光カバー３１に差し込み装着すれば良いため、組み立てに際して回路基板１８の損傷を防止できる（回路基板１８を強引に押すと破損する虞があるが、補助ブラケット３３を強く押しても回路基板１８が損傷することはない。）。
【００６４】
灯具は、建物の壁や塀、或いは建物の天井などの各所に取り付けることができる。従って、透光カバー３１が横向きになったり下向きになったりと、配置姿勢を必要に応じて異ならせることができる。ベース３２は合成樹脂製とすることも可能である。回路基板１８を金属製の支持板に取り付けて、この支持板を保持溝３６′や蟻溝４０に差し込むといったことも可能であり、この場合は、保持溝３６′が透光カバー３１に一体成形されていても回路基板１８を損傷することなく装着できる。
【００６５】
本実施形態には蓄光部を設けることが可能であり、その方法としては、例えば、透光カバー３１を蓄光剤入りの樹脂で成形することや、透光カバー３１の内面又は外面若しくは両面に蓄光塗料を塗布すること、或いは、透光カバー３１の内面又は外面若しくは両面に蓄光性を持つテープを貼着すること、などが挙げられる。透光カバー３１の内部に、蓄光剤を混入した樹脂で成形された部材を配置することも可能である。透光カバー３１等の表面に蓄光塗料又は蓄光テープで蓄光層を設ける場合、透光カバー３１等の全体に設けることに限らず、円周方向に沿った１箇所又は複数箇所に部分的に設けることも可能である。
【００６６】
(7).その他
本願発明は、上記の実施形態の他にも様々に具体化できる。
【００６７】
【００６８】
【００６９】
また、本願発明において透光性とは透明又は半透明を意味している。光が闇に浮き上がるように表示したい場合があるが、この場合は透光カバーを半透明の素材で製造したら良い。また、発光ダイオードはおおむねライン状に並んでおれば良いのであり、ジグザグ状に配置されていたり複数列に並んでいたりしていても良い。
【００７０】
発光ダイオードの光が透過する透光カバーに光を拡散・散乱させる機能を持たせることで、ラインとしての一体性をより一層高めることができる。光を拡散・散乱させる機能としては、内部に微細な反射球を多数混入することで実現できる。
【符号の説明】
【００７１】
１  下ベース
２  表示ユニット
３  透光部
４  発光ダイオード
６  ケーブル
１５  ケースを構成する外カバー
１６，１７  ケースを構成する内カバー
１２，２１  係合手段を構成する係合爪
２６  透明なシール剤
３１  透光カバー
３２  ベース
３４  嵌合手段を構成する外向き突起
３５  嵌合手段を構成する下向き突起
３６  嵌合手段を構成する内向き突起
３６′  保持溝
３７  嵌合手段を構成する上向き溝
３８  係合手段の一例としての係合爪
３９  係合手段の一例としての係合溝
【図１】
0005464678.tif 000002
【図２】
0005464678.tif 000003
【図３】
0005464678.tif 000004
【図４】
0005464678.tif 000005
【図５】
0005464678.tif 000006
【図６】
0005464678.tif 000007
【図７】
0005464678.tif 000008